【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
情報ネットワークを通して遠隔情報プロバイダからユーザインターフェイスを有するローカルデジタル処理システムに送信される情報に対するデータアクセス制御を提供する方法において、
（ａ）制御デバイスをローカルデジタル処理システムに結合し、
（ｂ）ユーザ認証プロセスを実行することによりユーザ識別子を取得し、
（ｃ）ユーザの識別子が認証されたときに、制御デバイスの第１のメモリユニットから初期化情報を検索し、
（ｄ）ローカルデジタル処理システムおよび情報ネットワークを通して初期化情報を遠隔情報プロバイダに提供し、
（ｅ）ユーザ識別子の肯定応答が受信されたときに、制御デバイスと遠隔情報プロバイダとの間に通信を確立し、
（ｆ）情報を遠隔情報プロバイダから取得し、
（ｇ）情報を制御デバイスの第２のメモリユニットに記憶させることを含む方法。
【請求項２】
制御デバイスをローカルデジタル処理システムに結合することは、制御デバイスのユニバーサルシリアルバス（“ＵＳＢ”）プロトコルコネクタをローカルデジタル処理システムのＵＳＢレセプタクルに結合して、通信を促進することをさらに含む請求項１記載の方法。
【請求項３】
方法はローカルデジタル処理システムをインターネット、イントラネット、ワイドエリアネットワーク（“ＷＡＮ”）およびローカルエリアネットワーク（“ＬＡＮ”）のうちの少なくとも１つに接続することをさらに含む請求項２記載の方法。
【請求項４】
ユーザ認証プロセスを実行することによりユーザ識別子を取得することは、
指紋検出器を起動してユーザの指紋を検出し、
ユーザの指紋を指紋検出器から取得し、
指紋ファイルを制御デバイスの第１のメモリユニットから検索し、
指紋ファイルに応答してユーザの指紋を認証することをさらに含む請求項３記載の方法。
【請求項５】
ユーザ認証プロセスを実行することによりユーザ識別子を取得することは、
虹彩検出器を起動してユーザの虹彩を検出し、
ユーザの虹彩を虹彩検出器から取得し、
虹彩ファイルを制御デバイスの第１のメモリユニットから検索し、
虹彩ファイルに応答してユニットの虹彩を認証することをさらに含む請求項４記載の方法。
【請求項６】
初期化情報を遠隔情報プロバイダに提供することは、
遠隔情報プロバイダに関係するセキュリティコードを検索し、
セキュリティコードを遠隔情報プロバイダに送信し、
遠隔情報プロバイダに関係するパブリックキーを検索し、
パブリックキーが遠隔情報プロバイダに送信される前にパブリックキーをハッシングすることをさらに含む請求項１記載の方法。
【請求項７】
情報を遠隔情報プロバイダから取得することは、
オンライン業務要求を遠隔情報プロバイダに送信し、
オンライン業務要求に応答して情報を受信することをさらに含む請求項３記載の方法。
【請求項８】
情報を遠隔情報プロバイダから取得することは、
制限されたインターネットサイトにアクセスするための要求を遠隔情報プロバイダに送信し、
要求が照合された後に要求に応答して情報を受信することをさらに含む請求項３記載の方法。
【請求項９】
情報を遠隔情報プロバイダから取得することは、
サービスまたはアップグレードに対する要求を遠隔情報プロバイダに送信し、
要求が照合された後に要求に応答して情報を受信することをさらに含む請求項３記載の方法。
【請求項１０】
制御デバイスの第２のメモリユニットに記憶されている情報を表示するナビゲーションソフトウェアを実行することをさらに含む請求項１記載の方法。
【請求項１１】
コンピュータネットワークを通して遠隔情報プロバイダからユーザインターフェイスを有するローカルホストシステムへの情報の制御された配布を提供することに対する著作権侵害防止の方法において、
記憶および著作権侵害防止デバイスをローカルホストシステムに結合し、
ユーザの指紋を指紋センサから取得し、
デバイスの第１のメモリユニットに記憶されている指紋データにしたがってユーザ識別子を照合し、
ユーザに関係するパブリックキーをデバイスの第１のメモリユニットから検索し、
ローカルホストシステムおよびコンピュータネットワークを通してパブリックキーを遠隔情報プロバイダに提供し、
照合されたパブリックキーのメッセージが受信されたときにデバイスと遠隔情報プロバイダとの間に通信を確立し、
情報を遠隔情報プロバイダから取得し、
情報をデバイスの第２のメモリユニットに記憶させることを含む方法。
【請求項１２】
デバイスをローカルホストシステムに結合することは、デバイスのユニバーサルシリアルバス（“ＵＳＢ”）プロトコルコネクタをローカルホストシステムのＵＳＢレセプタクルに結合して、通信を促進することをさらに含む請求項１１記載の方法。
【請求項１３】
方法はローカルホストシステムをインターネット、イントラネット、ワイドエリアネットワーク（“ＷＡＮ”）およびローカルエリアネットワーク（“ＬＡＮ”）のうちの少なくとも１つに接続することをさらに含む請求項１２記載の方法。
【請求項１４】
ローカルホストシステムおよびコンピュータネットワークを通してパブリックキーを遠隔情報プロバイダに提供することは、
セキュリティコードを遠隔情報プロバイダに送信し、
パブリックキーが送信される前にパブリックキーをハッシングすることをさらに含む請求項１１記載の方法。
【請求項１５】
パブリックキーを検索することは、
遠隔情報プロバイダに付加的に関係するパブリックキーを検索し、
ハッシュされたパブリックキーが遠隔情報プロバイダに送信される前に、パブリックキーをハッシングすることをさらに含む請求項１１記載の方法。
【請求項１６】
情報を遠隔情報プロバイダから取得することは、
オンライン業務要求を遠隔情報プロバイダに送信し、
オンライン業務要求に応答して情報を受信することをさらに含む請求項１１記載の方法。
【請求項１７】
情報を遠隔情報プロバイダから取得することは、
制限されたインターネットサイトにアクセスするための要求を遠隔情報プロバイダに送信し、
要求が照合された後に要求に応答して情報を受信することをさらに含む請求項１１記載の方法。
【請求項１８】
情報を遠隔情報プロバイダから取得することは、
サービスまたはアップグレードに対する要求を遠隔情報プロバイダに送信し、
要求が照合された後に要求に応答して情報を受信することをさらに含む請求項１１記載の方法。
【請求項１９】
情報をデバイスの第２のメモリユニットに記憶させることは、情報がデバイスの第１のメモリユニットに記憶される前にプライベートキー応答して情報を暗号化することをさらに含む請求項１１記載の方法。
【請求項２０】
情報をデバイスの第２のメモリユニットから検索し、
情報を解読し、
ナビゲーションソフトウェアを実行して情報を表示させることをさらに含む請求項１１記載の方法。
【請求項２１】
電圧、周波数および温度検出デバイスの１つが不正操作を検出したときに不正操作防止コードを実行シーケンスにロードし、
不正操作防止コードを実行することをさらに含む請求項１１記載の方法。
【請求項２２】
請求項１ないし２０のいずれか１項記載の方法を実行するように動作可能に構成されている記憶および著作権侵害防止デバイス。
【請求項２３】
コンピュータネットワークを通して情報の制御された配布を提供するための記憶および著作権侵害防止デバイスにおいて、
プロセッサと、
プロセッサに結合され、識別子データを記憶するように構成されている内部メモリユニットと、
プロセッサに結合され、ユーザの指紋を読み取ることができる指紋センサと、
指紋センサに結合され、認証データにしたがってユーザ識別子を認証するように構成されている指紋照合ユニットと、
プロセッサに結合され、遠隔情報プロバイダにより提供される情報へのアクセスのためのパブリックキーをハッシュするように構成されているハッシングアルゴリズムユニットと、
プロセッサに結合され、遠隔情報プロバイダにより提供された情報を含む多量のデータを記憶するフラッシュメモリユニットと、
プロセッサに結合され、ローカルホストシステムと遠隔情報プロバイダとがコンピュータネットワークに接続されたときに、ローカルホストシステムおよびコンピュータネットワークを通して遠隔情報プロバイダと通信するために、ユーザインターフェイスを有するローカルホストシステムに取り付けるためのユニバーサルシリアルバス（“ＵＳＢ”）コネクタとを具備する記憶および著作権侵害防止デバイス。
【請求項２４】
プロセッサに結合され、情報がフラッシュメモリユニットに記憶される前にプライベートキーに応答して、遠隔情報プロバイダから受信される情報を暗号化するように構成されている暗号化および解読ユニットをさらに具備する請求項２３記載の記憶および著作権侵害防止デバイス。
【請求項２５】
プロセッサに結合され、情報がコンピュータネットワークを通して送信される前にフラッシュメモリユニットに記憶されている情報を解読するように構成されている暗号化および解読ユニットをさらに具備する請求項２３記載の記憶および著作権侵害防止デバイス。
【請求項２６】
プロセッサに結合され、電圧、周波数および温度検出デバイスの１つが不正操作状態を検出したときに、内部およびフラッシュメモリユニット記憶されているデータを破壊するように構成されている不正操作防止ユニットをさらに具備する請求項２３記載の記憶および著作権侵害防止デバイス。
【請求項２７】
プロセッサに結合され、ユーザ識別子を認証するように動作可能な指紋照合ユニットと、
プロセッサに結合され、記憶および著作権侵害防止デバイスとローカルホストシステムとの間の通信を制御するように構成されているＵＳＢ制御装置とをさらに具備する請求項２３記載の記憶および著作権侵害防止デバイス。
【請求項２８】
制限された情報にユーザによりアクセスする方法において、
ポータブル記憶デバイスをユーザインターフェイスを有するローカルクライアントコンピュータの通信ポートに結合し、前記ローカルクライアントコンピュータはネットワークを通して遠隔コンテンツサーバに通信可能に結合され、前記遠隔コンテンツサーバは制限された情報を記憶し、前記ポータブル記憶デバイスはその上に配置され、認証されたユーザの記憶されたバイオメトリックテンプレートに対してユーザ識別子を照合することができるバイオメトリック検出器を有し、
前記バイオメトリック検出器を使用して要求者のバイオメトリック情報を捕捉し、
前記ポータブルデータ記憶デバイスが前記要求者の識別子を認証した場合には、第１の通知を前記ポータブル記憶デバイスから前記遠隔コンテンツサーバに送信し、
デバイス認証要求を前記遠隔コンテンツサーバから受信し、それに応答して、デバイス認証回答を前記ポータブル記憶デバイスから前記遠隔コンテンツサーバに送信し、前記デバイス認証回答は前記遠隔コンテンツサーバと前記ポータブル記憶デバイスとの間の認証ハンドシェークを完成させ、
キー要求を前記遠隔コンテンツサーバから受信し、それに応答して、前記要求者を表す第１のキーを前記ポータブル記憶デバイスから前記遠隔コンテンツサーバに送信し、前記第１のキーは前記遠隔コンテンツサーバが前記要求者の識別子を確認できるようにし、
前記制限された情報を前記遠隔コンテンツサーバから受信し、
前記要求者の識別子を表す第２のキーを使用して前記制限された情報を暗号化し、
前記制限された情報を暗号化形態で前記ポータブル記憶デバイスに記憶させ、前記記憶された暗号化情報は前記第２のキーを使用することなく解読することができないことを含む方法。
【請求項２９】
予め定められた通常動作範囲を超える少なくとも１つの動作パラメータを検出したときに、前記第１のキー、前記第２のキー、前記バイオメトリックテンプレートおよび前記記憶された暗号化データのうちの少なくとも１つを消去することをさらに含み、前記少なくとも１つの動作パラメータには電圧、周波数および温度が含まれる請求項２８記載の方法。
【請求項３０】
同じものを前記遠隔コンテンツサーバに送信する前に前記第１のキーをハッシングすることをさらに含む請求項２８記載の方法。
【請求項３１】
安全なハッシングアルゴリズムが、前記ポータブル記憶デバイス中の不揮発性ソリッドステートメモリに存在し、前記安全なハッシングアルゴリズムは前記第１のキーをハッシュするために使用される請求項３０記載の方法。
【請求項３２】
前記第１のキーは第三者に対して前記要求者を一意的に識別するパブリックキーである請求項２８記載の方法。
【請求項３３】
前記第２のキーは前記要求者のプライベートキーである請求項２８記載の方法。
【請求項３４】
前記バイオメトリックテンプレートは前記認証されたユーザの指紋情報を含む請求項２８記載の方法。
【請求項３５】
前記ローカルクライアントコンピュータの前記通信ポートはＵＳＢポートであり、前記ポータブル記憶デバイスはＵＳＢプラグを備える請求項２８記載の方法。
【請求項３６】
前記記憶された暗号化情報は前記ポータブル記憶デバイス中の不揮発性ソリッドステートメモリに存在する請求項２８記載の方法。
【請求項３７】
前記デバイス認証回答は、前記ポータブル記憶デバイスから前記遠隔コンテンツサーバに送信される複数の認証シーケンスを含む請求項２８記載の方法。
【請求項３８】
前記制限された情報はストリーミングにより前記遠隔コンテンツサーバから前記ポータブル記憶デバイスに送信される請求項２８記載の方法。
【請求項３９】
前記制限された情報は著作権保護された素材を含む請求項２８記載の方法。
【請求項４０】
前記制限された情報は秘密医療記録を含む請求項２８記載の方法。
【請求項４１】
前記制限された情報は所有ビジネス情報を含む請求項２８記載の方法。
【請求項４２】
前記制限された情報が前記遠隔コンテンツサーバから受信される前に電子支払業務を完成させることをさらに含む請求項２８記載の方法。